(57)【特許請求の範囲】
【請求項１】
かかと部分（２）と、つま先部分（６）と、前記かかと部分（２）と前記つま先部分（６）との間に位置決めされる中間部分（４）とを備えるフットレット（１）であって、
前記中間部分（４）は、両側で前記かかと部分（２）と前記つま先部分（６）との間に延在する横側面を備え、
前記フットレット（１）は、完全に往復編成によって製造され、
前記かかと部分（２）のみには、防滑剤を含む糸が施され、
前記糸は、往復編成によって前記かかと部分（２）に組み込まれることを特徴とする、フットレット（１）。
【請求項２】
前記防滑剤は、シリコーン等のエラストマーを含むことを特徴とする、請求項１に記載のフットレット（１）。
【請求項３】
前記防滑剤は、天然素材または合成素材のキャリア糸上に施されることを特徴とする、請求項１または請求項２に記載のフットレット（１）。
【請求項４】
前記かかと部分（２）に、カラーを形成する編成された縁部分が施され、前記縁部分には、防滑剤を含む糸が施されることを特徴とする、請求項１から３のいずれかに記載のフットレット（１）。
【請求項５】
前記縁部分は、前記つま先部分（６）に面する第１の小縁部分と、前記つま先部分（６）から遠い第２の小縁部分とを備えるように折り返されることを特徴とする、請求項４に記載のフットレット（１）。
【請求項６】
前記縁部分のうちで、前記つま先部分（６）に面する第１の小縁部分のみに前記防滑剤を含む糸が施されることを特徴とする、請求項５に記載のフットレット（１）。
【請求項７】
前記かかと部分（２）は、少なくとも部分的に少なくとも２本の糸で編まれ、前記少なくとも２本の糸のうちの１本は、前記防滑剤を含む糸であることを特徴とする、請求項１から６のいずれかに記載のフットレット（１）。
【請求項８】
前記少なくとも２本の糸のうちの別の１本は、弾性糸であることを特徴とする、請求項７に記載のフットレット（１）。
【請求項９】
前記防滑剤を含む糸は、主として、前記かかと部分（２）の前記つま先部分（６）に面する側に位置決めされ、一方で、前記少なくとも２本の糸のうちの別の糸は、主として、前記かかと部分（２）の前記つま先部分（６）から遠い側に位置決めされることを特徴とする、請求項７または請求項８に記載のフットレット（１）。
【請求項１０】
前記防滑剤を含む糸は、かかとの一部を覆って施されることを特徴とする、請求項１から９のいずれかに記載のフットレット（１）。
【発明の詳細な説明】
【技術分野】
【０００１】
本発明は、かかと部分と、つま先部分と、かかと部分とつま先部分との間に位置決めされる中間部分とを備えるフットレット（ショートソックス）に関し、中間部分は、両側でかかと部分とつま先部分との間に延在する横側面を備え、前記フットレットは、完全に往復編成によって製造される。
【背景技術】
【０００２】
このようなフットレットは、特許文献１から既知であり、人の足を部分的に覆うために使用される。このフットレットは、着用されると、かかとおよび足の下側を覆い、かつつま先を覆って延在する。よって、中間部分も、幾分か足の側面に沿って延在する。足の上側は、フットレットによって覆われない。オープンシューズを履く場合、フットレットは、靴によって視界から隠され、着用者に心地よさを与える。
この既知のフットレットの欠点は、歩行中に、フットレットが、かかと部分と靴の内側との摩擦接触によって足から外れる危険性があり、これが望ましくないことにある。
【先行技術文献】
【特許文献】
【０００３】
【特許文献１】国際公開第２００８０７２０４８号
【発明の概要】
【発明が解決しようとする課題】
【０００４】
本発明の目的は、製造が容易であり、かつ使用中に足にしっかりと接触したままであるフットレットを提供することにある。
【課題を解決するための手段】
【０００５】
この目的は、かかと部分に防滑剤を含む糸が施され、この糸は、往復編成（reciprocating knitting：何度も往復して、編み込むこと）によってかかと部分に組み込まれる、本発明によるフットレットによって達成される。
【０００６】
人の足とかかと部分との間に増大された摩擦係数を有するフットレットは、防滑剤が施されて編成によりかかと部分に組み込まれる糸によって単純に達成され、よって、フットレットが滑って足から外れる危険性が減る。フットレットは、連続する往復編成によって製造されることから、綴じ付けた継ぎ目のない途切れなしの全体として得られ、かつフットレットには、まさにその製造工程の間に防滑剤を含む糸が施される。
【０００７】
なお、内側に、例えば噴霧または塗布によって防滑剤が施されたフットレット、または粘着によって防滑材ストリップが施されたフットレットが既知である。この方式による防滑剤の適用は、追加的な製造ステップを必要とし、フットレットを比較的高額にする。また、これには、この追加的な製造ステップの間に、不注意によりフットレットに防滑剤が施されないというリスクも伴う。さらに、この場合、防滑剤は、かかと部分の上側から一定の距離を隔てて施され、よって、かかと部分における、その上側と防滑剤との間に位置決めされる部分は、やはり滑り落ちる可能性がある。
【０００８】
本発明によるフットレットの一実施形態は、防滑剤が、シリコーン等のエラストマーを含むことを特徴とする。
【０００９】
シリコーンは、刺激を生じさせることなく足と長時間接触していることが可能である。さらに、シリコーンは軟質であり、よって、人の足の上でフットレットが滑っても、フットレットと共に容易に変形することができる。代替エラストマーによっても、摩擦係数を高めることが可能である。
【００１０】
本発明によるフットレットのさらなる実施形態は、防滑剤が、天然素材または合成素材のキャリア糸上に施されることを特徴とする。
【００１１】
この方式では、例えばシリコーンが施された比較的細いキャリア糸を製造することが可能である。
【００１２】
キャリア糸は、例えば２２デシテックスである、例えばナイロンまたは綿であってもよい。キャリア糸／シリコーン比は、例えば、５０／５０であってもよい。
【００１３】
キャリア糸を用いるさらなる優位点は、キャリア糸を防滑剤より安価な素材から製造することができ、よって、防滑剤を含む糸のコストが比較的低いことにある。
【００１４】
本発明によるフットレットのさらなる実施形態は、かかと部分に、カラーを形成する編成された縁部分が施され、前記縁部分には、防滑剤を含む糸が施されることを特徴とする。
【００１５】
縁部分には、防滑剤を含む糸が施されることから、縁部分、ひいてはかかと部分全体が足から滑ることが防止される。
【００１６】
本発明によるフットレットのさらなる実施形態は、縁部分が、つま先部分に面する第１の小縁部分と、つま先部分から遠い第２の小縁部分とを備えるように折り返されることにある。
【００１７】
このような折り返された縁部分は、比較的厚い、丈夫なカラーを提供する。
【００１８】
本発明によるフットレットのさらなる実施形態は、縁部分のうちで、つま先部分に面する第１の小縁部分のみに防滑剤を含む糸が施されることを特徴とする。
【００１９】
これにより、足と第１の小縁部分との間の摩擦係数は、拡大される。防滑剤が施されない第２の小縁部分は、歩行中、靴の内側に対して比較的低い摩擦係数で動くことができる。
【００２０】
本発明によるフットレットのさらなる実施形態は、かかと部分が少なくとも部分的に少なくとも２本の糸で編まれ、前記少なくとも２本の糸のうちの１本が防滑剤を含む糸であることを特徴とする。
【００２１】
２本以上の糸の使用により、望ましい厚さのカラーに仕上がる。さらに、少なくとも２本の糸のうちのもう一方の糸には、かかと部分に所望される別の特性が与えられてもよい。
【００２２】
本発明によるフットレットのさらなる実施形態は、前記少なくとも２本の糸のうちの別の１本が弾性糸であることを特徴とする。
【００２３】
弾性糸および防滑剤を含む糸は、合わせて編成されることから、当該かかと部分には、弾性および滑り止め特性が同時に与えられる。
【００２４】
本発明によるフットレットのさらなる実施形態は、防滑剤を含む糸が、主として、かかと部分のつま先部分に面する側面に位置決めされ、一方で、少なくとも２本の糸のうちの別の糸が、主として、かかと部分のつま先部分から遠い側面に位置決めされることを特徴とする。
【００２５】
この方式では、かかと部分のつま先部分に面する側面のみに摩擦係数を高める防滑剤が与えられる。
【００２６】
本発明によるフットレットのさらなる実施形態は、防滑剤を含む糸がかかとの一部を覆って施されることを特徴とする。
【００２７】
防滑剤を含む糸は、縁部分に施されても、かかと部分において縁部分と一定の距離を隔てて施されてもよい。望ましい位置は、実験的に決定されることが可能である。
【００２８】
次に、図面を参照して、本発明をさらに詳しく説明する。  諸図面を通じて、対応するパーツには、同じ参照数字が付されている。
【図面の簡単な説明】
【００２９】
【図１】図１は、本発明によるフットレットの斜視図である。
【図２】図２は、人の足の周りに提供された、図１のフットレットの側面図であり、前記足は、靴内に存在している。
【図３Ａ】図３Ａは、本発明によるフットレットのかかと部分の一実施形態を示す部分断面図である。
【図３Ｂ】図３Ｂは、本発明によるフットレットのかかと部分の一実施形態を示す部分断面図である。
【図３Ｃ】図３Ｃは、本発明によるフットレットのかかと部分の一実施形態を示す部分断面図である。
【図４Ａ】図４Ａは、本発明によるフットレットのかかと部分の一実施形態を示す部分断面図である。
【図４Ｂ】図４Ｂは、本発明によるフットレットのかかと部分の一実施形態を示す部分断面図である。
【図４Ｃ】図４Ｃは、本発明によるフットレットのかかと部分の一実施形態を示す部分断面図である。
【図５Ａ】図５Ａは、本発明によるフットレットのかかと部分の一実施形態を示す部分断面図である。
【図５Ｂ】図５Ｂは、本発明によるフットレットのかかと部分の一実施形態を示す部分断面図である。
【発明を実施するための形態】
【００３０】
図１は、往復編成動作（何度も往復するように編み込むこと）のみを有する編機で製造された、本発明によるフットレット（ショートソックス）１を示す。
【００３１】
フットレット１は、かかと部分２と、編成（編むこと）により形成される線３を介してかかと部分２へ連接される中間部分４と、編成（編み込み）により形成される線５を介して中間部分４へ連接されるつま先部分６とを備える。フットレット１の所望される形状は、往復編成工程の間の増減によって達成することができる。中間部分４は、両側でかかと部分２とつま先部分６との間に広がる横側面７、８を備える。フットレット１は、さらに、かかと部分２に隣接して位置決めされる第１の小縁部分９と、つま先部分６に隣接して位置決めされる第２の小縁部分１０とを備える。このようなフットレット１を製造する方法は、国際公開第２００８０７２０４８号パンフレットに記載されている。
【００３２】
図２は、図１のフットレット１を履いた人の足１１を示す。かかと部分２は、ここでは、足１１のかかとの周りに置かれている。つま先部分６は、足１１のつま先を覆っている。中間部分４は、底部分１２で足１１の下側に沿って延在し、かつ横部分１３、１４で足１１の横側面に沿って延在する。足１１は、フットレット１で周囲を覆われて、明確さのために一部しか示されていない靴１５の中に存在している。
【００３３】
かかと部分２には、好ましくは縁部分１６に渡って防滑剤を含む糸が施され（図３Ａ、図３Ｂ参照）、この糸は、フットレット１を編成する間に施されている。防滑剤を含む糸は、かかと部分２内に編成（編むこと）によって施されている。糸は、好ましくは、防滑剤として上にシリコーンが施されている綿またはナイロン等の天然素材または合成素材のキャリア糸（carrier thread）で構成される。
【００３４】
糸は、好ましくは略円形の断面を有し、キャリア糸は、第１の直径を有し、かつ防滑剤を含む糸全体は、より大きい第２の直径を有する。第１の直径と第２の直径との比は、キャリア糸の断面の表面積が、防滑剤を含む糸全体の断面の表面積の約半分を占めるようなものである。
【００３５】
防滑剤を含むこのような糸の製造自体は既知であり、よって、詳述しない。
【００３６】
図３Ａ−図３Ｃは、かかと部分２が、カラーを構成する編成された縁部分１６を備える、フットレット１の異なる３つの実施形態を示している。縁部分１６は、縁部分１６がつま先部分６に面する第１の小縁部分１７と、つま先部分６から遠い第２の小縁部分１８とを備えるように折り返される。縁部分１６を編成する際には、まず第２の小縁部分１８が編成され、この後、第１の小縁部分１７が編成される。第１の小縁部分１７が形成されるとすぐに、第２の小縁部分１８の端１９が第１の小縁部分１７の端２０へ編成により接合される。次に、かかと部分２の残りの部分が編まれ、フットレット１が編成される。
【００３７】
図３Ａに示されているフットレット１の実施形態において、防滑剤を含む糸および弾性糸は、第２の小縁部分１８および第１の小縁部分１７の編成と同時に編成される。弾性糸は、例えば、Ｌｙｃｒａ、Ｅｌａｓｔａｎ、ＤｏｒｌａｓｔａｎまたはＳｐａｎｄｅｘ等のポリウレタンで製造される。弾性糸（弾性を有する糸）によって、フットレット１を足１１へ押し付ける弾性の縁部分１６が生成される。シリコーン等の防滑剤は、足１１と縁部分１６、即ち足１１に合わさるかかと部分２との間の滑りを効果的に防止する。
【００３８】
図３Ｂに示されているフットレット１の実施形態において、防滑剤を含む糸および弾性糸は、第１の小縁部分１７の編成のみと同時に編成される。第２の小縁部分１８では、弾性糸のみが使用される。
【００３９】
この方法では、必要とされるシリコーン材料の量が少ない。さらに、足１１に当たるのは防滑剤を含む糸のみであって、靴１５の内側には、比較的滑らかな弾性糸（弾性を有する糸）が当たる。
【００４０】
図３Ｃに示されているフットレット１の実施形態では、縁部分１６から一定の距離を隔てて位置決めされる部分２１が、防滑剤を含む糸のみ、または防滑剤を含む糸およびかかと部分２の残りを編む糸、の何れかで編成される。この糸の素材は、所望される通りに、ナイロン、綿または他の任意のものであってもよい。
【００４１】
部分２１が２本以上の糸で編成される場合、これは、好ましくは、防滑剤を含む糸が、主としてかかと部分２のつま先部分６に面する側に位置決めされ、一方で、もう１本の糸が、主としてかかと部分２のつま先部分６から遠い側に位置決めされるように行われる。このような編成技術自体は既知であり、よって、詳述しない。
【００４２】
図４Ａ−図４Ｃは、かかと部分２が、カラーを形成する編成された縁部分２６を備える、フットレット１の３つの代替実施形態を示している。縁部分２６は、縁部分２６が、つま先部分６に面する第１の小縁部分２７と、つま先部分６から遠い第２の小縁部分２８とを備えるように折り返される。縁部分２６を編成する際には、まず第１の小縁部分２７が編成され、この後、第２の小縁部分２８が編成される。第２の小縁部分２８が形成されるとすぐに、第１の小縁部分２７の端２９が第２の小縁部分２８の端３０へ編成により接合される。次に、かかと部分２の残りの部分が編まれ、フットレット１が編成される。
【００４３】
図４Ａに示されているフットレット１の実施形態において、防滑剤を含む糸および弾性糸は、第１の小縁部分２７および第２の小縁部分２８の編成と同時に編成される。
【００４４】
図４Ｂに示されているフットレット１の実施形態において、防滑剤を含む糸および弾性糸は、第１の小縁部分２７の編成のみと同時に編成される。第２の小縁部分２８では、弾性糸のみが使用される。
【００４５】
図４Ｃに示されているフットレット１の実施形態では、縁部分２６から一定の距離を隔てて位置決めされる部分３１が、防滑剤を含む糸のみ、または防滑剤を含む糸およびかかと部分２の残りを編む糸、の何れかで編成される。
【００４６】
図５Ａ−図５Ｂは、かかと部分２が、カラーを形成する単一の小縁部分３７を備える編成された縁部分３６を備える、フットレット１のさらなる２つの実施形態を示している。
【００４７】
図５Ａに示されているフットレット１の実施形態において、防滑剤を含む糸および弾性糸は、小縁部分３７の編成と同時に編成される。
【００４８】
図５Ｂに示されているフットレット１の実施形態では、縁部分３６から一定の距離を隔てて位置決めされる部分４１が、防滑剤を含む糸のみ、または防滑剤を含む糸およびかかと部分２の残りを編む糸、の何れかで編成される。
【００４９】
フットレット１は、全体的または部分的に丸編みによって製造されることも可能である。しかしながら、これには、綴じ付ける継ぎ目が不可避であるという欠点がある。
シリコーンではなく、代替材料を用いることも可能である。
【符号の説明】
【００５０】
１．フットレット
２．かかと部分
３．編成により形成される線
４．中間部分
５．編成により形成される線
６．つま先部分
７．横側面
８．横側面
９．縁部分
１０．縁部分
１１．足
１２．底部分
１３．横部分
１４．横部分
１５．靴
１６．縁部分
１７．第１の小縁部分
１８．第２の小縁部分
１９．端
２０．端
２１．部分
２６．縁部分
２７．第１の小縁部分
２８．第２の小縁部分
２９．端
３０．端
３１．部分
３６．縁部分
３７．小縁部分
４１．部分
【図１】
0006530386.tif 000002
【図２】
0006530386.tif 000003
【図３Ａ】
0006530386.tif 000004
【図３Ｂ】
0006530386.tif 000005
【図３Ｃ】
0006530386.tif 000006
【図４Ａ】
0006530386.tif 000007
【図４Ｂ】
0006530386.tif 000008
【図４Ｃ】
0006530386.tif 000009
【図５Ａ】
0006530386.tif 000010
【図５Ｂ】
0006530386.tif 000011